(57)【要約】【課題】ワイヤレス警備システムに用いる中継器において、ノイズ電波に強く、受信したデータがワイヤレスセンサから送信された正規のデータか否かの識別を確実に行う。【解決手段】制御回路１３は、復調回路１２で復調された信号を入力し、その信号が、予め定められた所定のフォーマットを有しているか否か、且つ前記フォーマット中のＩＤ番号が予めＩＤ番号テーブル１３２に登録されたものであるかを判定し、所定のフォーマットを有し、且つＩＤ番号が登録されている場合には、当該受信した信号はワイヤレスセンサ１から送信された正規のデータであると判定して、再送信する。この送信周波数は、ワイヤレスセンサ１の送信周波数と同一周波数である。【選択図】　図２
2004023144.tif 000002
【特許請求の範囲】
【請求項１】
ワイヤレスセンサから送信された所定のフォーマットのデータを受信して、当該受信したデータをワイヤレスセンサと同一の送信周波数で再送信を行うワイヤレス警備システムに用いる中継器において、
受信した信号が前記所定のフォーマットを有している場合には受信した信号がワイヤレスセンサから送信された正規なデータであると判定して、再送信を行うことを特徴とするワイヤレス警備システムに用いる中継器。
【請求項２】
ワイヤレスセンサから送信された所定のフォーマットのデータを受信して、当該受信したデータをワイヤレスセンサと同一の送信周波数で再送信を行うワイヤレス警備システムに用いる中継器において、
受信した信号が前記所定のフォーマットを有し、且つ前記フォーマット中のＩＤ番号が予め登録されたものである場合には受信した信号がワイヤレスセンサから送信された正規なデータであると判定して、再送信を行う
ことを特徴とするワイヤレス警備システムに用いる中継器。
【請求項３】
ワイヤレスセンサから送信された所定のフォーマットのデータを受信して、当該受信したデータをワイヤレスセンサと同一の送信周波数で再送信を行うワイヤレス警備システムに用いる中継器において、
受信した信号が前記所定のフォーマットを有し、且つ前記フォーマット中のＩＤ番号が予め登録されたものである場合には受信した信号がワイヤレスセンサから送信された正規なデータであると判定し、当該正規なデータ中のＩＤ番号を、自己に割り当てられたＩＤ番号に変更して再送信を行う
ことを特徴とするワイヤレス警備システムに用いる中継器。
【発明の詳細な説明】
【０００１】
【発明の属する技術分野】
本発明は、ワイヤレス警備システムに用いる中継器に関する。
【０００２】
【従来の技術】
警備システムには種々の形態のものがあるが、その一つとして、ワイヤレスセンサと、受信装置とを用いたワイヤレス警備システムが知られている。
【０００３】
ワイヤレス警備システムでは、周知のように、ワイヤレスセンサは、予め定められた事象が発生したことを検知した場合には、所定のフォーマットのデータ（以下、このワイヤレスセンサが送信する所定のフォーマットのデータを本データと賞することにする）を受信装置に向けて無線送信するようになされており、受信装置は、受信した本データに基づいて、所定の警備の処理を行うようになされている。
【０００４】
受信装置が行う警備の処理には種々のものがあるが、その代表的なものは、異常事態が発生したと判断した場合には、ベルやサイレンを鳴動させたり、あるいは公衆電話回線等の通信回線により警備会社のセンタ装置に通報を行う処理である。
【０００５】
ワイヤレスセンサが本データを送信する場合としては、例えば次のような場合が挙げられる。
ワイヤレスセンサが、ワイヤレス化された熱線センサである場合は、熱線を放射する物体の移動を検知した場合が代表的である。また、ワイヤレスセンサが、ワイヤレス化された火災センサである場合は、煙の量や温度が所定以上になったことを検知した場合が代表的である。
【０００６】
また、ワイヤレスセンサが正常に動作しているか否かを確認する目的で所定の時間間隔で定期送信を行うように設定されている場合には、ワイヤレスセンサは当該定期送信を行うタイミングになると、定期送信であることを示す本データを無線送信する。更に、ワイヤレスセンサは電池を電源として動作しているが、ワイヤレスセンサの内部で電池電圧を監視して、所定の電圧以下になった場合には電池電圧が低下したことを示す本データを無線送信するようになされているものもある。
【０００７】
なお、ワイヤレスセンサが送信する本データは符号化されたコードであり、それを所定の変調方式によってデジタル変調して無線送信することは周知の通りである。
【０００８】
ところで、上記のようなワイヤレス警備システムにおいて、受信装置はワイヤレスセンサからの本データを直接受信できる箇所に設置できるとは限らない。例えば、ワイヤレス警備システムが構築される建造物の構造、あるいはノイズ電波を発生する機器の有無、ノイズ電波の強度等によって、ワイヤレスセンサから無線送信された本データが直接受信装置で良好に受信できない場合もある。
【０００９】
そのような場合には、ワイヤレスセンサから無線送信された本データを一旦受信して、再送信を行う中継器が設けられる。このような中継器はリピータと称されることもある。
【００１０】
図６に中継器を用いた場合のワイヤレス警備システムの概略の構成例を示す。図中、１はワイヤレスセンサ、３は中継器、４はアンテナ、５は受信装置、６はアンテナを示す。
【００１１】
ワイヤレスセンサ１は、予め定められた事象が発生したことを検知すると、所定のフォーマットの本データを生成して、内蔵しているアンテナから送信する。中継器３はワイヤレスセンサ１から送信された本データを受信して、再送信を行う。そして、中継器３から送信された本データが受信装置５で受信される。なお、中継器３はワイヤレスセンサ１から送信される電波を良好に受信できるように配置されていること、及び受信装置５は中継器３から送信される電波を良好に受信できるように配置されていることは当然である。また、図６ではセンタ装置に通報を行うための通信回線、ベルやサイレン等は図示を省略している。
【００１２】
【発明が解決しようとする課題】
さて、図６に示すような中継器を用いたワイヤレス警備システムにおいて、ワイヤレスセンサ１の送信周波数、即ちワイヤレスセンサ１が本データを送信する際の搬送周波数と、中継器３の送信周波数、即ち、中継器３がワイヤレスセンサ１から送信された本データを受信して再送信する際の搬送周波数とを別の周波数にすることができれば、中継器３ではワイヤレスセンサ１からの本データを受信したら即座に搬送周波数のみを変えて再送信することができるので問題は無いのであるが、ワイヤレス警備システムでは、ワイヤレスセンサ１の送信周波数と、中継器３の送信周波数は同じ周波数を用いることが推奨されている。
【００１３】
このように、現時点では、ワイヤレスセンサの送信周波数と、中継器の送信周波数を任意に選ぶことはできないので、ワイヤレスセンサから送信された本データを中継して、受信装置で良好に受信できるようにするのは面倒なものとなっている。
【００１４】
さて、上記のように、ワイヤレスセンサ１の送信周波数と、中継器３の送信周波数とを同一周波数とせざるを得ない場合、中継器３でワイヤレスセンサ１から無線送信された本データを中継するためには、中継器３では、ワイヤレスセンサ１からの本データの受信し、その受信を完了した後に当該本データの再送信を行うことが必要になる。
【００１５】
このような場合、中継器３において、受信した信号がワイヤレスセンサ１からの本データであるか否か、そして、本データである場合に本データの受信を完了したか否かを判定する手法の一つとして、受信電波の受信強度を監視することが容易に想到される。即ち、通常ではワイヤレスセンサ１からの電波の受信強度は大きいものと考えられ、従って、中継器３での電波の受信強度が所定の閾値以上であれば、当該電波はワイヤレスセンサ１からの本データであると判断してよく、その後、受信強度が当該閾値未満となった場合には本データの受信を完了したと判断してよいと考えられるからである。なお、ここで、電波の受信強度を監視するためには、例えば、受信強度を示す信号を出力するものとして周知のＲＳＳＩ（Ｒｅｃｅｉｖｅｄ　Ｓｉｇｎａｌ　Ｓｔｒｅｎｇｔｈ　Ｉｎｄｉｃａｔｏｒ）回路を用いればよい。
【００１６】
しかし、上述した手法はノイズ電波に弱いという問題がある。即ち、ワイヤレスセンサ１や中継器３等のワイヤレス警備システムに用いられる機器が設置される周囲には、パーソナルコンピュータ等の電波を放射する機器が種々存在する場合が多く見受けられるのが通常であり、しかも、それらの機器の中には、ワイヤレスセンサ１の送信周波数と同じ周波数、あるいはその近傍の周波数の電波を放射するものもある。
【００１７】
このような周囲の機器から放射される電波が中継器３に対してノイズ電波となるのであるが、そのようなノイズ電波の強度が大きく、中継器３での受信強度が前記閾値以上となることがあることも確認されている。そして、このような場合には、ノイズ電波が中継器３では本データと認識されることになり、しかも、そのような状態は当該ノイズ電波を放射する機器が動作している間続くことになる。
【００１８】
以上のようであるので、中継器３において受信強度に基づいて受信した信号が本データか否かを判定するという手法はノイズ電波の強度が大きい場合には用いることができないのである。
【００１９】
そこで、本発明は、ワイヤレス警備システムに用いる中継器であって、ノイズ電波に強く、しかも受信したデータがワイヤレスセンサから送信された本データか否かの識別を確実に行って、本データを受信装置に中継することができる中継器を提供することを目的とするものである。
【００２０】
【課題を解決するための手段】
上記の目的を達成するために、請求項１記載のワイヤレス警備システムに用いる中継器は、ワイヤレスセンサから送信された所定のフォーマットのデータを受信して、当該受信したデータをワイヤレスセンサと同一の送信周波数で再送信を行うワイヤレス警備システムに用いる中継器において、受信した信号が前記所定のフォーマットを有している場合には受信した信号がワイヤレスセンサから送信された正規なデータであると判定して、再送信を行うことを特徴とする。
請求項２記載のワイヤレス警備システムに用いる中継器は、ワイヤレスセンサから送信された所定のフォーマットのデータを受信して、当該受信したデータをワイヤレスセンサと同一の送信周波数で再送信を行うワイヤレス警備システムに用いる中継器において、受信した信号が前記所定のフォーマットを有し、且つ前記フォーマット中のＩＤ番号が予め登録されたものである場合には受信した信号がワイヤレスセンサから送信された正規なデータであると判定して、再送信を行うことを特徴とする。
請求項３記載のワイヤレス警備システムに用いる中継器は、ワイヤレスセンサから送信された所定のフォーマットのデータを受信して、当該受信したデータをワイヤレスセンサと同一の送信周波数で再送信を行うワイヤレス警備システムに用いる中継器において、受信した信号が前記所定のフォーマットを有し、且つ前記フォーマット中のＩＤ番号が予め登録されたものである場合には受信した信号がワイヤレスセンサから送信された正規なデータであると判定し、当該正規なデータ中のＩＤ番号を、自己に割り当てられたＩＤ番号に変更して再送信を行うことを特徴とする。
【００２１】
【発明の実施の形態】
以下、図面を参照しつつ発明の実施の形態について説明する。なお、ワイヤレスセンサの構成、動作については周知であるので、以下の説明においてはワイヤレスセンサの説明については必要最小限に留めることにする。
【００２２】
まず、実施形態の説明に先立って、ワイヤレスセンサが送信する本データの構成について説明しておく。
ワイヤレスセンサが送信する本データの形態は種々に定めることができるが、ここでは図１に示すようであるとする。
図１に示す形態では、先頭にビット同期信号が配置され、次にフレーム同期信号が配置され、その次にＩＤ番号が配置され、その次に警備データが配置され、最後にチェック用ビットが付されている。
【００２３】
ビット同期信号及びフレーム同期信号についは周知である。
ＩＤ番号はワイヤレスセンサに対して割り当てられた固有の番号である。ワイヤレスセンサについては、ＩＤ番号としては、少なくとも２種類のＩＤ番号を用いることが推奨されている。一つは製造会社を示すＩＤ番号であり、もう一つは、ワイヤレス警備システムを構築する際に、個々のワイヤレスセンサに割り当てた固有のＩＤ番号である。勿論、これらのＩＤ番号以外にも適宜なＩＤ番号を付すことは可能である。ここでいうＩＤ番号はこれらのＩＤ番号を総称するものとする。
【００２４】
警備データは、本データの送信がどのような事象が発生したことに基づくものであるか、その内容を示すデータであり、例えば、ワイヤレスセンサがワイヤレス化された熱線センサであって、本データが、熱線を放射する物体の移動を検知したことに基づくものである場合には、警備データには物体を検知したことを示すコードが書き込まれ、同様に、ワイヤレスセンサがワイヤレス化された火災センサであって、本データが煙の量や温度が所定以上になったことを検知したことに基づくものである場合には、警備データには火災発生を検知したことを示すコードが書き込まれる。また、定期送信の場合には、警備データには定期送信であることを示すコードが書き込まれる。その他の場合も同様である。このように、警備データにはワイヤレスセンサが検知した事象に対応したコードが書き込まれるのである。
【００２５】
チェック用ビットは、誤り訂正、パリティチェック等のビットチェックのために用いるビットである。
【００２６】
そして、ここでは、本データの中のビット同期信号、フレーム同期信号、ＩＤ番号、警備データ及びチェック用ビットのそれぞれの項のビット長は予め固定的に定められているものとする。即ち、本データの全ビット長は固定的に定められているのである。
【００２７】
このようなデータ構成は特殊なものではなく、通常に採用されている構成の一つである。
【００２８】
［第１の実施形態］
図２に本発明に係る中継器の第１の実施形態を示す。図中、１０はフィルタ、１１は中間周波回路、１２は復調回路、１３は制御回路、１４は復調回路、１５は増幅回路を示す。
この中継器３を用いたワイヤレス警備システムは図６に示すと同様であるとする。ただし、図６ではワイヤレスセンサ１は一つしか示していないが、複数個設置されていてもよいものである。なお、ワイヤレスセンサが複数個用いられる場合、現状ではそれらのワイヤレスセンサの送信周波数は全て同一周波数とすることが推奨されている。
【００２９】
まず、図２に示す中継器３の各部について概略説明する。
フィルタ１０は、ワイヤレスセンサ１の送信周波数を中心周波数とするバンドパスフィルタ（ＢＰＦ）であり、アンテナ４からの信号はフィルタ１０により、ワイヤレスセンサ１の送信周波数を中心とした所定の周波数帯域に制限される。
【００３０】
フィルタ１０の出力は中間周波回路１１において所定の中間周波数に変換、増幅される。中間周波回路１１は、局部発振回路、混合回路、フィルタ、増幅回路等で構成されることは周知である。
【００３１】
中間周波回路１１の出力は、復調回路１２と受信強度検出回路１３に入力される。復調回路１２は、ワイヤレスセンサで行われるデジタル変調方式に対応した復調回路である。
【００３２】
制御回路１３は、受信した本データの再送信の動作を司るものである。図３は制御回路１３の概略の構成例を示す図であり、ＣＰＵ１３０、メモリ１３１を含んでいる。ここで、ＣＰＵ１３０はプロセッサチップのみではなく、周辺のメモリやＩＣをも含んでいるものとする。
【００３３】
変調回路１４は、ワイヤレスセンサで行われるデジタル変調方式と同じ変調を行うものである。その搬送周波数はワイヤレスセンサ１で用いられている搬送周波数と同じである。
増幅回路１５は電力増幅回路であり、変調回路１４で変調されたデータをアンテナ４から送信するためのものである。
【００３４】
次に、動作について説明する。
中継器３は、常時、ワイヤレスセンサ１の送信周波数帯の電波を受信している。アンテナ４の出力はフィルタ１０を介して、中間周波回路１１によって所定の周波数の中間周波信号となされる。そして、その中間周波信号は復調回路１２に入力されて復調され、復調回路１２で復調された信号は制御回路１３のＣＰＵ１３０とメモリ１３１に入力される。
ＣＰＵ１３０は、入力された時系列の信号を解釈して入力信号が本データであるか否かを判定する動作と、メモリ１３１の制御を同時並行して行う。
【００３５】
ＣＰＵ１３０が行う、入力信号が本データであるか否かの判定の動作は次のようである。
ＣＰＵ１３０は、本データに用いられているビット同期信号及びフレーム同期信号等の各項を認識できる機能を有しており、フレーム同期信号を認識すると、その時点から所定の方式によるパリティチェックあるいは誤り訂正等のビットチェックの動作を行う。そして、受信した信号中のチェック用ビットの項まで認識し、ビットチェックに誤りが無かった場合には、受信した信号は本データであり、その受信を完了したと判定する。例えば、ビットチェックとして剰余多項式を用いたパリティチェックを行うものとした場合においては、フレーム同期信号からチェック用ビットまでの各ビット値に基づいて所定の演算を行った時、最終的な演算の値は０となることが知られているので、この場合には最終的な値が０になったら、受信した信号はワイヤレスセンサ１から送信された正規なデータ、即ち本データであり、当該本データの受信を完了したと判定するようにすればよい。
【００３６】
次に、ＣＰＵ１３０が行うメモリ１３１の制御の動作の例について説明すると次のようである。
通常はＣＰＵ１３０は入力信号をメモリ１３１の先頭番地から順次書き込んでいき、ビット同期信号を検出することなくメモリ１３１の最終番地まで書き込んだら、再び先頭番号から上書きを行うよう制御する。しかし、ＣＰＵ１３０は、ビット同期信号を検出すると、入力信号をメモリ１３１の先頭番地から書き込むように制御する。
そして、ＣＰＵ１３０は受信した信号が本データであり、その受信を完了したと判定した場合には、本データの全ビット長は固定であるので、メモリ１３１の先頭番地から、予め本データに定められている全ビット長だけのデータを読み出して、変調回路１４に出力する。
【００３７】
これによって、当該データは変調回路１４において変調され、増幅回路１５によって増幅されて、アンテナ４から送信される。これが中継器３による本データの再送信である。
【００３８】
以上のようであるので、この中継器３によれば、受信した信号が所定のフォーマットを有しているか否か、即ち、受信した信号がワイヤレスセンサ１から送信される本データの構成を有しているか否かを判定することによって、本データか否かを判定しているので、ノイズに対して強いものである。しかも、受信した信号が本データか否かを従来より確実に判定することができる。
【００３９】
［第２の実施形態］
次に、第２の実施形態について説明する。
この中継器の全体のブロック構成は図２に示すと同じであるが、図４に示すように、制御回路１３のＣＰＵ１３０は、ワイヤレスセンサ１に割り当てられたＩＤ番号が登録されたＩＤ番号テーブル１３２を管理している。
【００４０】
次に動作について説明する。
ＣＰＵ１３０は、本データに用いられているビット同期信号及びフレーム同期信号、ＩＤ番号等の各項を認識できる機能を有しており、フレーム同期信号を認識すると、その時点から所定の方式によるビットチェックの動作を行うと共に、受信している信号の中のＩＤ番号に対応する位置のデータを認識して、それがＩＤ番号テーブル１３２に登録されているか否かを判定する。
【００４１】
上述したように、本データのビット同期信号、フレーム同期信号、ＩＤ番号等の各項のビット長は固定であるので、ビット同期信号を検出してから何番目から何番目のビット列がＩＤ番号に対応するかはＣＰＵ１３０は認識することができ、そのＩＤ番号がＩＤ番号テーブル１３２に登録されているか否かを判定することができる。
【００４２】
そして、ＣＰＵ１３０は、受信した信号中のＩＤ番号がＩＤ番号テーブル１３２に登録されており、且つ、受信した信号中のチェック用ビットまで認識し、ビットチェックに誤りが無かった場合には、受信した信号は、当該ＩＤ番号が割り当てられたワイヤレスセンサ１からの正規な本データであり、その受信を完了したと判定する。
【００４３】
ＣＰＵ１３０が行うメモリ１３１の制御の動作は上述した第１の実施形態の場合と同様であり、通常はＣＰＵ１３０は入力信号をメモリ１３１の先頭番地から順次書き込んでいき、ビット同期信号を検出することなくメモリ１３１の最終番地まで書き込んだら、再び先頭番号から上書きを行うよう制御する。しかし、ＣＰＵ１３０は、ビット同期信号を検出すると、入力信号をメモリ１３１の先頭番地から書き込むように制御する。そして、ＣＰＵ１３０は、受信した信号が、そのＩＤ番号がＩＤ番号テーブル１３２に登録されているワイヤレスセンサからの本データであり、その受信が完了した判定した場合には、メモリ１３１の先頭番地から、予め本データに定められている全ビット長だけのデータを読み出して、変調回路１４に出力する。
【００４４】
これによって、当該データは変調回路１４において変調され、増幅回路１５によって増幅されて、アンテナ４から送信される。これが中継器３による本データの再送信である。
【００４５】
以上のようであるので、この中継器３によれば、受信した信号が所定のフォーマットを有しているか否か、更に、ＩＤ番号がＩＤ番号テーブル１３２に登録されているか否かという２つの判定基準を用いて、受信した信号が本データであるか否かを判定するので、ノイズに対して強いものである。しかも、受信した信号が本データか否かを従来より確実に判定することができる。
【００４６】
［第３の実施形態］
上述した第１、第２の実施形態では、中継器は受信した本データをそのまま再送信するものとしたが、この第３の実施形態では、再送信する際にＩＤ番号の項を、中継器に割り当てられたＩＤ番号に変更する形態である。
【００４７】
この中継器の全体のブロック構成は図２に示すと同じであり、制御回路１３の構成も図４に示すと同じであるが、動作が異なっている。
【００４８】
ＣＰＵ１３０には、当該中継器３に割り当てられたＩＤ番号が登録されている。このＩＤ番号のビット長は、ワイヤレスセンサ１が送信する本データのＩＤ番号の項に定められているビット長と同じである。
【００４９】
受信した信号が、そのＩＤ番号がＩＤ番号テーブル１３２に登録されているワイヤレスセンサ１から送信された正規な本データであるか否かの判定、及びメモリ１３１の制御の動作は上述した第２の実施形態におけると同じであるが、ＣＰＵ１３０は、受信した信号が、そのＩＤ番号がＩＤ番号テーブル１３２に登録されているワイヤレスセンサからの本データであり、その受信が完了した判定した場合には、メモリ１３１の先頭番地から、予め本データに定められている全ビット長だけのデータを読み出し、更に、その読み出したデータ中のＩＤ番号を、自己に割り当てられたＩＤ番号に変更して変調回路１４に出力する。
【００５０】
これによって、当該データは変調回路１４において変調され、増幅回路１５によって増幅されて、アンテナ４から送信される。これが中継器３による本データの再送信である。
【００５１】
以上のようであるので、この中継器によれば、上記の第２の実施形態の中継器と同様に、受信した信号が所定のフォーマットを有しているか否か、更に、ＩＤ番号がＩＤ番号テーブル１３２に登録されているか否かという２つの判定基準を用いて、受信した信号が本データであるか否かを判定するので、ノイズに対して強いものである。しかも、受信した信号が本データか否かを従来より確実に判定することができる。
【００５２】
なお、上記の第１、第２の実施形態で説明した中継器３を用いる場合には、受信装置５としては従来の中継器を用いないワイヤレス警備システムに用いていた受信装置をそのまま使用することができるが、この第３の実施形態の中継器３を用いる場合には、受信装置５は、受信した信号中のＩＤ番号が中継器３に割り当てられたものだけを受信できるように構成する必要がある。
【００５３】
［中継器の使用形態］
以上、中継器の実施形態を３つ説明したが、次に、このような中継器の使用形態について付言する。
中継器を用いたワイヤレス警備システムにおいて、中継器の設置台数が１台である場合には、第１、第２、第３の何れの実施形態の中継器を用いてもよいが、中継器を複数台設置する場合には、第２、第３の実施形態の中継器を用い、しかも、各中継器の制御回路１３のＩＤ番号テーブル１３２に登録するワイヤレスセンサのＩＤ番号は、互いに重複することの無いようにする必要がある。
【００５４】
例えば、いま、図５に示すように、４台のワイヤレスセンサ１ａ、１ｂ、１ｃ、１ｄ、２台の中継器３ａ、３ｂ、及び受信装置５が設置されたワイヤレス警備システムを考えると、中継器３ａ、３ｂとして第１の実施形態の中継器を用いることが望ましくないことは明らかである。
【００５５】
なぜなら、図５に示すシステムにおいて、いまワイヤレスセンサ１ａから本データが送信されたとすると、この本データは中継器３ａ及び中継器３ｂで受信されることがあり、その場合には、２つの中継器３ａ、３ｂから殆ど同時に本データが同じ送信周波数で再送信されることになり、そうすると、２つの中継器３ａ、３ｂから再送信された本データが重なり合って受信装置５では良好に受信できなくなってしまうことになるからである。
【００５６】
このような理由から、図５に示すような中継器を複数台用いたシステムでは、第１の実施形態の中継器を用いることは望ましいものではなく、中継器３ａ、３ｂとしては、第２の実施形態の中継器あるいは第３の実施形態の中継器を用いることが望ましいのであるが、その場合においても、あるワイヤレスセンサのＩＤ番号が中継器３ａ、３ｂの両方のＩＤ番号テーブル１３２に登録されていると、上述した第１の実施形態の中継器を用いた場合と同じ不都合が生じてしまう。
【００５７】
そこで、各ワイヤレスセンサ１ａ〜１ｄのＩＤ番号は、中継器３ａ、３ｂで互いに重複することのないように、何れか一つの中継器のみに登録しておくようにするのである。このようにすれば、あるワイヤレスセンサから送信された本データが、複数の中継器によって再送信されることを回避することができる。
【００５８】
以上、本発明の実施形態について説明したが、本発明は上記実施形態に限定されるものではなく、種々の変形が可能である。例えば、上述した第２、第３の実施形態においては、ＣＰＵ１３０は受信している信号の中のＩＤ番号に対応する位置のデータを認識して、それがＩＤ番号テーブル１３２に登録されているか否かを判定するものとし、このＩＤ番号は製造会社を示すＩＤ番号、及び個々のワイヤレスセンサに割り当てた固有のＩＤ番号等を総称するものとしたが、ＣＰＵ１３０が認識するＩＤ番号としては、全てのＩＤ番号であってもよいことは当然であるが、例えばワイヤレスセンサに割り当てられた固有のＩＤ番号のみを認識するというように、一部のＩＤ番号だけを認識するようにしてもよいものである。
【図面の簡単な説明】
【図１】ワイヤレスセンサが送信するデータの形態の例を示す図である。
【図２】本発明に係る中継器の第１の実施形態を示す図である。
【図３】図２の制御回路１３の概略の構成例を示す図である。
【図４】本発明に係る第２の実施形態における制御回路１３の概略の構成例を示す図である。
【図５】本発明に係る中継器の使用形態を説明するための図である。
【図６】中継器を用いた場合のワイヤレス警備システムの概略の構成例を示す図である。
【符号の説明】
１…ワイヤレスセンサ、３…中継器、４…アンテナ、５…受信装置、６…アンテナ、１０…フィルタ、１１…中間周波回路、１２…復調回路、１３…制御回路、１４…復調回路、１５…増幅回路、１３０…ＣＰＵ、１３１…メモリ、１３２…ＩＤ番号テーブル。
【図１】
2004023144.tif 000003
【図２】
2004023144.tif 000004
【図３】
2004023144.tif 000005
【図４】
2004023144.tif 000006
【図５】
2004023144.tif 000007
【図６】
2004023144.tif 000008